(57)【要約】【課題】厳格な物品管理が求められる施設等において、安全かつ高精度で工具等の物品管理を行うことができる。【解決手段】物品１を収納する管理ボックス４と、前記管理ボックスに設けられ、当該管理ボックス内に収納された物品の総重量を計量する重量センサ６ａ、６ｂと、前記物品に貼付されたＲＦＩＤタグ２から当該物品の重量を含む個体識別情報を読み取るＲＦＩＤリーダ３と、前記重量センサ６ａ、６ｂとＲＦＩＤリーダ３を制御する制御装置８と、前記制御装置に接続され各種情報を表示する表示部７と、を有する物品管理システムであって、前記制御装置８は、管理ボックス４に収納された物品１の個体識別情報、及び前記重量センサ６ａ、６ｂで計量された前記物品１の総重量と前記個体識別情報から求められた前記物品１の総重量との比較結果とに基づいて物品管理を行う。【選択図】図１
2015157700.tif 000002
【特許請求の範囲】
【請求項１】
物品を収納する管理ボックスと、前記管理ボックスに設けられ、当該管理ボックス内に収納された物品の総重量を計量する重量センサと、前記物品に貼付されたＲＦＩＤタグから当該物品の重量を含む個体識別情報を読み取るＲＦＩＤリーダと、前記重量センサとＲＦＩＤリーダを制御する制御装置と、前記制御装置に接続され各種情報を表示する表示部と、を有する物品管理システムであって、
前記制御装置は、管理ボックスに収納された物品の個体識別情報、及び前記重量センサで計量された前記物品の総重量と前記個体識別情報から求められた前記物品の総重量との比較結果とに基づいて物品管理を行うことを特徴とする物品管理システム。
【請求項２】
前記管理ボックスは当該管理ボックス内の空間を区画する少なくとも一つの仕切板を備え、各仕切板毎に計量された物品の総重量と各仕切板毎に個体識別情報から求められた物品の総重量との比較結果に基づいて物品管理を行うことを特徴とする請求項１記載の物品管理システム。
【請求項３】
前記管理ボックス内に可燃性ガス検出器及び／又は放射線検出器を設置し、可燃性ガス濃度及び／又は放射線強度を前記表示部に表示するとともに、基準値以上の可燃性ガス濃度及び／又は放射線強度が検出された場合は警報を発することを特徴とする請求項１または２に記載の物品管理システム。
【請求項４】
前記管理ボックスの周囲を電波遮蔽板で覆ったことを特徴とする請求項１乃至３のいずれか１項に記載の物品管理システム。
【請求項５】
複数の前記管理ボックスにそれぞれ送受信ユニットを設け、物品管理データベースと前記送受信ユニットをネットワーク接続することで、物品を一括管理することを特徴とする請求項１乃至４のいずれか１項に記載の物品管理システム。
【請求項６】
物品にＲＦＩＤタグを貼付する貼付工程と、
管理ボックスに前記ＲＦＩＤタグが貼付された前記物品を収納する収納工程と、
前記管理ボックスの内部に収納された前記物品の総重量を計量する計量工程と、
前記管理ボックスの内部に収納された前記物品の前記ＲＦＩＤタグから当該物品の重量を含む個体識別情報を読み取る読取工程と、
前記読取工程で読み取られた個体識別情報から求まる前記物品の重量の総和、および前記計量工程で計量された前記物品の前記総重量とを比較する比較工程と、
を備えることを特徴とする物品管理方法。
【発明の詳細な説明】
【技術分野】
【０００１】
本発明は各種プラント施設や工場等で使用される工具等の物品を管理するための物品管理システムおよび物品管理方法に関する。
【背景技術】
【０００２】
ＩＣカードやＩＣタグ等を用いた非接触型リーダライタシステムは、一般にＲＦＩＤ（Radio Frequency IDentification）システムと呼ばれており、交通カードシステム、物品管理システム等に実用化されている。例えば、ＲＦＩＤタグを用いた物品管理システムでは、ＲＦＩＤタグが貼付された管理物品を管理ボックスに搬出入する際に、管理ボックスに設置されたＲＦＩＤリーダによって各管理物品が発する識別信号を読み取り、管理物品の搬出入状況を一元的に管理している（特許文献１）。
【先行技術文献】
【特許文献】
【０００３】
【特許文献１】特開２０１３−１６３５７９号公報
【発明の開示】
【発明が解決しようとする課題】
【０００４】
例えば、原子力発電所等の厳格な被曝管理や物品管理が求められる施設では、当該施設で用いられる工具等の物品について厳格な使用管理、在庫管理を行う必要がある。  
しかしながら、上述した従来の物品管理システムでは、ＲＦＩＤタグが貼付されていない物品、可燃性ガスを発生する物品又は放射性物質が付着した物品等が管理ボックス内に持ち込まれた場合はチェックすることができない。すなわち、実際の現場では、ＲＦＩＤタグを取り付けていない工具や、有害ガス又は放射線を発生させる危険物等、様々な物品が管理ボックスに搬入される可能性があるが、現状ではこれらの物品を管理することができないという課題があった。
【０００５】
また、ＲＦＩＤタグの読み取りには電波が用いられるが、電波の使用を規制する施設ではＲＦＩＤシステムを用い物品管理システムを使用することができないという課題があった。
【０００６】
本発明は上記課題を解決するためになされたものであり、例えば厳格な物品管理が求められる施設等において、安全かつ高精度で工具等の物品管理を行うことができる物品管理システムおよび物品管理方法を提供することを目的とする。
【課題を解決するための手段】
【０００７】
上記課題を解決するために、本発明に係る物品管理システムは、物品を収納する管理ボックスと、前記管理ボックスに設けられ、当該管理ボックス内に収納された物品の総重量を計量する重量センサと、前記物品に貼付されたＲＦＩＤタグから当該物品の重量を含む個体識別情報を読み取るＲＦＩＤリーダと、前記重量センサとＲＦＩＤリーダを制御する制御装置と、前記制御装置に接続され各種情報を表示する表示部と、を有する物品管理システムであって、前記制御装置は、管理ボックスに収納された物品の個体識別情報、及び前記重量センサで計量された前記物品の総重量と前記個体識別情報から求められた前記物品の総重量との比較結果とに基づいて物品管理を行うことを特徴とする。
【０００８】
また、本発明に係る物品管理方法は、物品にＲＦＩＤタグを貼付する貼付工程と、管理ボックスに前記ＲＦＩＤタグが貼付された前記物品を収納する収納工程と、前記管理ボックスの内部に収納された前記物品の総重量を計量する計量工程と、前記管理ボックスの内部に収納された前記物品の前記ＲＦＩＤタグから当該物品の重量を含む個体識別情報を読み取る読取工程と、前記読取工程で読み取られた個体識別情報から求まる前記物品の重量の総和および前記計量工程で計量された前記物品の前記総重量とを比較する比較工程とを備えることを特徴とする。
【発明の効果】
【０００９】
本発明によれば、安全かつ高精度で工具等の物品管理を行うことができる。
【図面の簡単な説明】
【００１０】
【図１】第１の実施形態に係る管理ボックスの概観図。
【図２】第３の実施形態に係る物品管理システムの概念図。
【図３】第４の実施形態に係る管理ボックスの概観図。
【発明を実施するための形態】
【００１１】
以下、本発明に係る工具等管理システムおよび物品管理方法の実施形態について図面を参照して説明する。  
［第１の実施形態］
第１の実施形態に係る物品管理システムおよび物品管理方法について、図１及び図２を用いて説明する。（請求項１、４対応）
【００１２】
（構成）
第１の実施形態に係る物品管理システムおよび物品管理方法について図１及び図２を用いて説明する。
【００１３】
原子力発電所等の施設では、当該施設で使用される可能性がある工具等の物品１を収納する少なくとも一つの管理ボックス４が適宜な箇所に配置されている。管理ボックス４に収納される物品１にはＲＦＩＤタグ２が貼付され、当該ＲＦＩＤタグ２には管理Ｎｏ、物品名、所有者、重量、寸法、外観写真等のデータに加え、当該物品４が測定機器である場合には校正期限等のデータ等の個体識別情報が記録されている。
【００１４】
管理ボックス４の内部は、複数の仕切板５によって区画されており、各仕切板５は支持部材として機能する重量センサ６ａによって支持されるとともに、管理ボックス４の総重量を測定する重量センサ６ｂが管理ボックス４の下部に設けられている。
【００１５】
また、管理ボックス４の内部には、各物品１に貼付されたＲＦＩＤタグ２のデータ（個体識別情報）を読み取るＲＦＩＤリーダ３が各仕切板５で区画された空間の周面にそれぞれ設置されている。
【００１６】
制御装置８には重量センサ６ａ、６ｂからのデータが入力されるとともに、ＲＦＩＤリーダ３を介して各物品１の個体識別情報が入力され、制御装置８の記憶領域に格納される。また、制御装置８は、例えば管理ボックス４の扉４ａの外面に設けられた表示部７に接続され、表示部７は必要な情報を適宜表示する。  
また、ＲＦＩＤリーダ３には各種情報をＲＦＩＤタグ２に書き込むためのライタ機能を持たせることができる。
【００１７】
（作用）
〈初期登録〉
上記のように構成された物品管理システムおよび物品管理方法において、先ず、少なくとも一つの管理対象の物品１を管理ボックス４内に収納し、管理ボックス４の扉４ａを閉じた後、制御装置８からＲＦＩＤリーダ３に対し読み取りを指示し、収納された物品１の初期読取が行われる。読取結果は制御装置８へ送信され、初期状態で収納された物品１の個体識別情報が記録され、ＲＦＩＤタグ２に記録された物品１の重量データから、管理ボックス４に収納された物品１の重量の総和としての総重量及び各仕切板５に収納された物品１の重量の総和としての各仕切板５毎の総重量が計算される。
【００１８】
次に、制御装置８より重量センサ６ａ、６ｂへ計量の指示が出され、管理ボックス４内に収納された物品１の総重量及び各仕切板５に収納された物品の各仕切板５毎の総重量の計量が行われ、計量結果は制御装置８へ送信される。なお、各仕切板５自体及び管理ボックス４自体の重量は予め測定されており、既知となっている。
【００１９】
次に、制御装置８は、個体識別情報から得られた物品１の総重量及び各仕切板５毎の物品１の総重量と、重量センサ６ａ、６ｂによって得られた総重量を比較し、その比較結果が一致していれば各物品１について当該管理ボックス４における管理対象の物品として初期登録を行う。
【００２０】
一方、比較結果が一致しない場合は、ＲＦＩＤタグが貼付されていない物品１や個体識別情報に誤りがある物品１が収納されている可能性があるため、表示部７にその旨を表示する。
【００２１】
その後、ＲＦＩＤタグが付与されていない物品１に対しては、管理ボックス４から当該未登録の物品１を取り出し、当該物品１の個体識別情報が記録されたＲＦＩＤタグ２を付与し、再度、管理ボックス４に収納し、制御装置８により上記の手順で初期登録を行う。
【００２２】
また、個体識別情報の誤りが確認された物品１に対しては、個体識別情報の修正を行った上で制御装置８により上記の手順で初期登録を行う。  
その際、制御装置８は、先ず、管理ボックス内４に収納された物品の総重量（計算値）と重量センサ６ｂで計量した総重量（実測値）を比較し、比較結果が一致していれば、各物品に添付されたＲＦＩＤタグに誤りがないと判定し、当該管理ボックス４に収納された物品として初期登録を行うようにしてもよい。そして、比較結果が不一致の場合のみ、仕切板５毎の物品の総重量の計算値及び実測値から、不一致が確認された仕切板５を特定し、表示部７に不一致が確認された仕切板５の情報を表示させる。これにより、ＲＦＩＤタグの貼付が必要な物品１や、データの修正が必要な物品１を迅速に特定することができる。
【００２３】
このように、管理対象の物品１について、未登録の物品１や個体識別情報に誤りがある物品１が管理ボックス４内にある場合には、随時、それらの物品１をチェックし修正することが可能となるため、精密かつ効率的に物品管理を行うことができる。
【００２４】
〈使用管理〉
次に、管理ボックス４において初期登録が終了した後の各物品１の使用管理について説明する。
【００２５】
施設内の作業に使用される特定の物品１を管理ボックス４から取り出し、扉４ａを閉じると、制御装置８よりＲＦＩＤリーダ３へ読み取りの指示が出され、管理ボックス４内に収納されている物品１の個体識別情報が制御装置８へ送信される。制御装置８は当該管理ボックス４に初期登録された個体識別情報と特定の物品１を取り出し後の個体識別情報を比較し、取り出された物品１を特定し、当該物品１の取り出し日時を記録する。
【００２６】
次に、作業終了後に管理ボックス４へ特定の物品１を収納し、管理ボックス４の扉４ａを閉じると、制御装置８よりＲＦＩＤリーダ３へ読み取りの指示が出され、収納された物品１に貼付されたＲＦＩＤタグ２から当該物品の個体識別情報を読み取る。読取結果は制御装置８へ送信され、制御装置８は取り出した物品１が返却されているか否かを判断し、返却されている場合は返却日時を記録し、未返却の場合は取り出し継続中として記録する。
【００２７】
さらに、初期登録済みの物品を含め何らかの物品１を管理ボックス４内に収納するために扉４ａを開閉する度に、制御装置８より重量センサ６ａ、６ｂへ計量の指示が出され、総重量の計量が行われ、計量結果は制御装置８へ送信される。制御装置８は、前述したように、重量センサ６ａ、６ｂによる総重量の実測値と個体識別情報から得られた総重量（計算値）との比較結果が一致しない場合は、ＲＦＩＤタグ２が貼付されていない物品（未登録物品）や個体識別情報に誤りがある物品が持ち込まれた可能性があるため、表示部７にその旨を表示する。
【００２８】
その後、ＲＦＩＤタグ２が付与されていない物品１に対しては、管理ボックス４から当該未登録の物品１を取り出し、当該物品１の個体識別情報が記録されたＲＦＩＤタグ２を付与し、再度、管理ボックス４に収納し、制御装置８により上記の手順で初期登録を行う。  
また、個体識別情報の誤りが確認された物品１に対しては、個体識別情報の修正を行った上で初期登録を行う。
【００２９】
（効果）
以上説明したように、本実施形態によれば、作業開始前及び作業中において管理ボックス４内に収納された物品１の重量をモニタすることで、ＲＦＩＤタグ２が貼付されていない物品１や個体識別情報に誤りがある物品１の持ち込みを迅速かつ効率的にチェックすることが可能となる。
【００３０】
また、作業中において、管理ボックス４の扉４ａが開閉されるごとに、管理ボックス４内に収納された物品１の確認を行うことで、物品１の取り出し・返却管理を自動的かつ精密に行うことができる。
【００３１】
［第２の実施形態］
第２の実施形態に係る物品管理システムおよび物品管理方法について説明する。  
本第２の実施形態では可燃性ガス測定器及び又は放射線検出器を管理ボックス４内に設置し、可燃性ガスを発生させる物品や放射線を放出する物品等の危険物が管理ボックス４内に持ち込まれるのを監視する。
【００３２】
可燃性ガス検出器及び放射線検出器の設置数及び設置箇所は、管理ボックス４の大きさに応じて適宜選択される（図示せず）。  
可燃性ガス検出器は、管理ボックス４内の可燃性ガス濃度を連続的に測定し、測定値は表示部７に表示される。基準値以上の可燃性ガス濃度が検知された場合は、警告表示又は警報を発する等して、管理ボックス４内に持ち込まれた可燃性ガス発生物品を撤去する。
【００３３】
同様に、放射線検出器は、管理ボックス４内の放射線強度を連続的に測定し、測定値は表示部７に表示される。基準値以上の放射線が検知された場合は、警告表示又は警報を発する等して、管理ボックス４内に持ち込まれた放射線発生物品を撤去する。
【００３４】
本実施形態によれば、管理ボックス４内に可燃性ガス測定器及び又は放射線検出器を設置することで、危険物の持ち込みを迅速に検出することが可能となるため、より安全性の高い物品管理を行うことができる。
【００３５】
［第３の実施形態］
第３の実施形態に係る物品管理システムおよび物品管理方法について、図１及び図２を用いて説明する。
【００３６】
本第３の実施形態では、施設内に複数の管理ボックス４が配置されている場合に、複数の管理ボックス４に収納された物品１を一括管理するために、物品管理データベース１０を用いる構成としている。
【００３７】
各管理ボックス４には、送受信ユニット９が設置され、初期登録された各物品１の個体識別情報は物品管理データベース１０に送信され記憶される。各管理ボックス４の制御装置８は、送受信ユニット９を介して物品管理データベース１０にネットワーク接続され、各管理ボックス４の管理データが共有される。  
したがって、ある管理ボックス４から取り出された物品１が他の管理ボックス４に返却されても、その取り出し、返却情報を一括的に管理できる。
【００３８】
本実施形態によれば、複数の管理ボックス４が設置されている施設において、各管理ボックス４を物品管理データベース１０を介してネットワーク接続することにより、各物品１を一括管理することが可能となるため、より効率的な物品管理を行うことができる。
【００３９】
［第４の実施形態］
第４の実施形態に係る物品管理システムおよび物品管理方法について、図３を用いて説明する。
【００４０】
本第４の実施形態では、医療機関や原子力発電所等の電波が規制されている施設において、ＲＦＩＤリーダ３が発生する電波を遮蔽するために、管理ボックス４の周囲に電波遮蔽板１１を付設する構成としている。
【００４１】
電波遮蔽板１１の素材及び厚みは、ＲＦＩＤリーダ３が発生する電波の強度に応じて適宜変更可能である。  
なお、物品ボックス４自体を電波遮蔽材から構成してもよい。
【００４２】
本実施形態によれば、電波が規制されている施設においても、電波を遮蔽可能な物品ボックス４を用いることで、より安全性の高い物品管理を行うことができる。
【００４３】
以上説明したように、上述した第１乃至第４の実施形態に係る物品管理システムおよび物品管理方法によれば、物品の出入管理を高信頼度及び高精度で行うことができるとともに、危険な物品が持ち込まれたり、電波によって障害が発生するのを的確に防止することができる。
【００４４】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、組み合わせ、置き換え、変更を行うことができる。この実施形態やその変形は、発明の範囲や要旨に含まれるとともに、特許請求の範囲に記載された発明とその均等の範囲に含まれる。
【符号の説明】
【００４５】
１…物品、２…ＲＦＩＤタグ、３…ＲＦＩＤリーダ、４…管理ボックス、５…仕切板、６ａ、６ｂ…重量センサ、７…表示部、８…制御装置、９…送受信ユニット、１０…物品管理データベース、１１…電波遮蔽板。
【図１】
2015157700.tif 000003
【図２】
2015157700.tif 000004
【図３】
2015157700.tif 000005